(57)【要約】【課題】複数のＡＤＣに入力される信号の経路の遅延量に差があるため、その切換えた出力の波形に不連続が生じないようにする。【解決手段】本発明は、複数のＡＤＣの出力を切換え加算出力するＡＤ変換装置において、入力信号を受けてデジタル出力する第1のＡＤＣと、入力信号を受けてデジタル出力する第2のＡＤＣと、第１のＡＤＣの出力受けて時間遅延する第１の遅延手段と、第2のＡＤＣの出力を受けて時間遅延する第２の遅延手段と、第１のＡＤＣの出力信号を検出する検出手段と、該検出手段の検出した信号を所望のレベルを基準にして、重み付け信号を出力する演算手段と、前記第1の遅延手段と第2の遅延手段との出力に、前記重み付け信号をそれぞれ乗算して補正した出力信号を切換え加算出力する。【選択図】図４
2006340054.tif 000002
【特許請求の範囲】
【請求項１】
複数のＡＤＣの出力を切換え加算出力するＡＤ変換装置において、
入力信号を受けてデジタル出力する第1のＡＤＣと、
入力信号を受けてデジタル出力する第2のＡＤＣと、
第１のＡＤＣの出力受けて時間遅延する第１の遅延手段と、
第2のＡＤＣの出力を受けて時間遅延する第２の遅延手段と、
第１のＡＤＣの出力信号を検出する検出手段と、
該検出手段の検出した信号を所望のレベルを基準にして、重み付け信号を出力する演算手段と、
前記第1の遅延手段と第2の遅延手段との出力に、前記重み付け信号をそれぞれ乗算して補正した出力信号を切換え加算出力することを特徴とするＡＤ変換装置。
【請求項２】
複数のＡＤＣの出力を受けて切換え加算出力するＡＤ変換装置において、
該複数のＡＤＣの出力レベルに応じて、該複数のＡＤＣの出力にそれぞれ重み付けをする信号は、リニヤーに変化させることを特徴とするＡＤ変換装置。
【請求項３】
複数のＡＤＣの出力を切換え加算出力するＡＤ変換装置において、
該複数のＡＤＣの出力レベルに応じて、該複数のＡＤＣの出力にそれぞれ重み付けをする信号は、検出手段により各一定期間のピークを検出し、そのピーク値により各期間の重みを決定することを特徴とするＡＤ変換装置。
【請求項４】
複数のＡＤＣの出力を切換え加算出力するＡＤ変換装置において、
該複数のＡＤＣの出力をそれぞれ帯域フィルタで受けて、その帯域フィルタの出力にそれぞれ重み付けをすることを特徴とするＡＤ変換装置。
【発明の詳細な説明】
【技術分野】
【０００１】
本発明は、複数のＡＤＣ出力を切換え加算してダイナミックレンジを増すことができるＡＤ変換装置に関するものである。
【背景技術】
【０００２】
スペクトラム・アナライザの測定器等において、図１に示すように、ダイナミックレンジを増すために複数のＡＤＣ出力を切換えておこなう方法がある。
【０００３】
しかし、複数のＡＤＣに入力される信号の経路の遅延量に差があるため、図２に示すように、その切換えた出力の波形に不連続が生じるという欠点があった。
【０００４】
そのため、図３に示すように、スペクトラム・アナライザでスペクトラム表示をさせたときに切換えた波形にノイズが発生する。
したがって、スペクトラム・アナライザ等のダイナミックレンジを増すことが困難となる問題があった。
【特許文献１】特許公開平５−１８８１００
【発明の開示】
【発明が解決しようとする課題】
【０００５】
解決しようとする問題点は、上記説明したように、複数のＡＤＣに入力される信号の経路の遅延量に差があるため、その切換えた出力の波形に不連続が生じる点である。
【課題を解決するための手段】
【０００６】
本発明の第1は、
複数のＡＤＣの出力を切換え加算出力するＡＤ変換装置において、
入力信号を受けてデジタル出力する第1のＡＤＣと、
入力信号を受けてデジタル出力する第2のＡＤＣと、
第１のＡＤＣの出力受けて時間遅延する第１の遅延手段と、
第2のＡＤＣの出力を受けて時間遅延する第２の遅延手段と、
第１のＡＤＣの出力信号を検出する検出手段と、
該検出手段の検出した信号を所望のレベルを基準にして、重み付け信号を出力する演算手段と、
前記第1の遅延手段と第2の遅延手段との出力に、前記重み付け信号をそれぞれ乗算して補正した出力信号を切換え加算出力することを特徴とするＡＤ変換装置。
【０００７】
本発明の第２は、
複数のＡＤＣの出力を切換え加算出力するＡＤ変換装置において、
該複数のＡＤＣの出力レベルに応じて、該複数のＡＤＣの出力にそれぞれ重み付けをする信号はリニヤーに変化させることを特徴とするＡＤ変換装置。
【０００８】
本発明の第３は、
複数のＡＤＣの出力を切換え加算出力するＡＤ変換装置において、
該複数のＡＤＣの出力レベルに応じて、該複数のＡＤＣの出力にそれぞれ重み付けをする信号は、検出手段により各一定期間のピークを検出し、そのピーク値により各期間の重みを決定することを特徴とするＡＤ変換装置。
【０００９】
本発明の第４は、
複数のＡＤＣの出力を切換え加算出力するＡＤ変換装置において、
該複数のＡＤＣの出力をそれぞれ帯域フィルタで受けて、その帯域フィルタの出力にそれぞれ重み付けをすることを特徴とするＡＤ変換装置。
【発明の効果】
【００１０】
本発明のＡＤ変換装置は、切換えた出力の波形のノイズを低減することによりスペクトラム・アナライザなどの測定器のダイナミックレンジを増すことができる効果がある。
【発明を実施するための最良の形態】
【００１１】
本発明は、ＡＤＣ出力の切換えた出力波形の不連続を簡単な手段で解消した。
【実施例１】
【００１２】
図１は、本発明装置の１実施例のブロック図である。
次に、図１に示すブロック図を参照して、本発明の動作について説明する。
【００１３】
アナログの入力信号をアンプ１でＮ倍（×Ｎ）して出力し、その出力をＡＤＣ３で受けてデジタル出力し、出力をアンプ１２で１／Ｎ倍（×１／Ｎ）し、さらにＦＩＦＯ等の時間遅延手段５で信号を時間遅延して出力する。
また、前記入力信号をアンプ２で１倍（×１）して出力し、その出力をＡＤＣ４で受けてデジタル出力し、ＦＩＦＯ等の時間遅延手段６で信号を時間遅延して出力する。
ここで、ＦＩＦＯ（First-In First-Out）は、データを格納し、格納された順にデータを所望の時間（深さｔ）遅延して取り出す手段である
【００１４】
次に、ＡＤＣ３の出力レベルを検出手段１０で検出して、後で説明する重みづけルールで、重み付け演算手段１１の出力を、時間遅延手段５と遅延時間手段６との出力に乗算手段７と乗算手段８とでそれぞれ乗算する。
そして、乗算手段７と乗算手段８とでそれぞれ重み付けした出力信号を、後で説明する切換えルールにより加算部９で切換え加算出力することにより、切換わりが滑らかになり、切換え時の波形のノイズを減少させることができる。
なお、重み付け信号を加算する場合、スペクトラムアナライザ等では、帯域フィルタを通過した後でおこなってもよい。
【００１５】
図５に示すように、×１と×Ｎとの切換えルールは、×Ｎの信号レベルがある規定以下なら×Ｎの出力を選択し、或る規定以上なら×１の出力を選択して切換え加算する。
次に、第１の重み付けのルールは、×Ｎの出力が規定値以上に達するすこし前から、すなわち時間遅延手段５、時間遅延手段６とにより、例えばＦＩＦＯの深さの遅延時間ｔの前から、×１の出力をリニヤーに増加させ、×Ｎの出力をリニヤーに減衰させる。
また、第２の重み付けのルールは、第１の重み付けのルールと同様に、×Ｎの出力が規定値以上に達するすこし前から、すなわち時間遅延手段５、時間遅延手段６とにより、例えばＦＩＦＯの深さの遅延時間ｔの前から、×１の出力を増加させ、×Ｎの出力を減衰させるが、図６に示すように、重み付けレベルを、×Ｎの出力の各一定期間（ｔ１、ｔ２、ｔ３）のピークを検出し、その値により、その各期間の重みを決定する方法である。
【産業上の利用可能性】
【００１６】
本発明は、スペクトラム・アナライザ以外でも信号を検出する測定器等でダイナミックレンジを増すための用途に適用できる。
【図面の簡単な説明】
【００１７】
【図１】従来の実施方法を示したブロック図である。
【図２】従来の動作説明図である。
【図３】従来の不具合の説明図である。
【図４】本発明の実施方法を示したブロック図である。（実施例１）
【図５】本発明の第1の動作説明図である。
【図６】本発明の第2の動作説明図である。
【符号の説明】
【００１８】
１、２    アンプ
３、４    ＡＤＣ
５、６時間遅延手段
７、８    乗算手段
９        加算部
１０      レベル検出手段
１１      重み付け演算手段
１２      アンプ
１３      切換部
【図１】
2006340054.tif 000003
【図２】
2006340054.tif 000004
【図３】
2006340054.tif 000005
【図４】
2006340054.tif 000006
【図５】
2006340054.tif 000007
【図６】
2006340054.tif 000008